(57)【特許請求の範囲】
【請求項１】
ディスクを載置したトレイを装置本体内に移動させ、該装置本体内に設けたディスクホルダとターンテーブルとの間にディスクをクランプして、ディスクに対して記録或いは再生を行うようにしたディスクローディング装置において、
大径ディスクが載置される凹部からなる大径ディスク載置部と、小径ディスクが載置され前記大径ディスク載置部に対して同心状に設けられる凹部からなる小径ディスク載置部とを有するディスク載置部を備え、
前記トレイ上に一対のディスク押し戻しバーを設け、前記ディスク押し戻しバーは、前記大径ディスク載置部の後側において、回転軸を中心に回動自在に設けられ、それぞれトレイの中央に向かって延び、大径ディスク載置部の外周に沿った形状となっており、その先端部には押し戻し部が下方に突設され、小径ディスクが前記小径ディスク載置部の後方にはみ出して載置された場合に、前記押し戻し部により該小径ディスクが前記小径ディスク載置部に押し戻されるようにしてなり、
前記トレイが装置本体内に収納された状態において、小径ディスクが前記小径ディスク載置部に載置されていたとき、前記押し戻し部が該小径ディスクの外周面に接触する位置関係となるように、該ディスク押し戻しバーが付勢されており、
前記トレイの出入口の天井面より突出するボスを設け、トレイオープン時に前記ディスク押し戻しバーが前記ボスに係合し、前記トレイが装置前方に延伸するに従って、前記ディスク押し戻しバーが前記ボスにより前記大径ディスク載置部の外側後方まで押されるようにしてなり、
前記ディスク載置部の前方側の外周部に、ディスクが前記ディスク押し戻しバーにより押し戻され過ぎないようにする傾斜面及び垂直面を設けたことを特徴とするディスクローディング装置。
【請求項２】
ディスクを載置したトレイを装置本体内に移動させ、該装置本体内に設けたディスクホルダとターンテーブルとの間にディスクをクランプして、ディスクに対して記録或いは再生を行うようにしたディスクローディング装置において、
大径ディスクが載置される凹部からなる大径ディスク載置部と、小径ディスクが載置され前記大径ディスク載置部に対して同心状に設けられる凹部からなる小径ディスク載置部とを有するディスク載置部を備え、
前記トレイ上に一対のディスク押し戻しバーを設け、前記ディスク押し戻しバーは、前記大径ディスク載置部の後側において、回転軸を中心に回動自在に設けられ、それぞれトレイの中央に向かって延び、大径ディスク載置部の外周に沿った形状となっており、その先端部には押し戻し部が下方に突設され、小径ディスクが前記小径ディスク載置部の後方にはみ出して載置された場合に、前記押し戻し部により該小径ディスクが前記小径ディスク載置部に押し戻されるようにしたことを特徴とするディスクローディング装置。
【請求項３】
前記トレイが装置本体内に収納された状態において、小径ディスクが前記小径ディスク載置部に載置されていたとき、前記押し戻し部が該小径ディスクの外周面に接触する位置関係となるように、該ディスク押し戻しバーが付勢されていることを特徴とする請求項２に記載のディスクローディング装置。
【請求項４】
前記トレイの出入口の天井面より突出するボスを設け、トレイオープン時に前記ディスク押し戻しバーが前記ボスに係合し、前記トレイが装置前方に延伸するに従って、前記ディスク押し戻しバーが前記ボスにより前記大径ディスク載置部の外側後方まで押されるようにしたことを特徴とする請求項２又は請求項３に記載のディスクローディング装置。
【発明の詳細な説明】
【技術分野】
【０００１】
本発明は、ＣＤ，ＤＶＤ等のディスクを保持して当該ディスクをターンテーブルに載置する、ディスクローディング装置に関するものである。
【背景技術】
【０００２】
従来より、ディスクを載置したディスクトレイを本体内に移動させ、本体内に設けたディスクホルダ（クランパー）とターンテーブルとの間にディスクをクランプして、ディスクに対して記録或いは再生を行うようにしたものが知られている。また、装置本体の小型化を図りつつ汚損することなく光ディスク等のディスク状記録媒体の出し入れを行うことができるディスク記録及び／又は再生装置が、特許文献１に開示されている。
【０００３】
具体的には、ディスク状記録媒体を回転するディスク回転操作部と、ディスク状記録媒体に対して情報信号の記録又は再生を行う記録及び／又は再生部とが設けられる装置本体と、装置本体に回動可能に支持され、装置本体を開閉する蓋体と、装置本体と蓋体との間に配設され、蓋体の回動に連動して移動するディスク状記録媒体を保持するディスク保持部材とを備え、ディスク保持部材は、蓋体の回動に連動してディスク状記録媒体をディスク回転操作部に装着する装着位置と保持したディスク状記録媒体の取り出しを行う取り出し位置とに亘って移動する構成としている。
【特許文献１】特開２００１−１０１７４２号公報
【発明の開示】
【発明が解決しようとする課題】
【０００４】
しかしながら、ディスクトレイにディスクを水平に載置してローディングするいわゆるフロントローディング方式の場合、特に直径が８ｃｍの小径ディスクがディスクトレイ上に正規の位置からずれて載置されることがあり、ミスクランプの要因となっている。この対策として、従来はトラバースメカ昇降用のモータ電圧を下げ、無理なクランプ動作を避けてエラー検出し、トレイを排出するようにしていたが、使用者がトレイ上の正しい位置にディスクを載置しない限り、ローディングが完了しない状態であった。
【０００５】
また、上記特許文献１には、ディスクの縁部に接する一対のアームをバネで付勢することにより、径の大小を問わずディスクを正しく位置決めする構成が記載されているが、これはフロントローディング方式のものとはなっていない。本発明は、以上のような問題点に鑑み、簡単な構成で、ディスクの径の大小に関わらず正確にディスクをフロントローディングすることが可能な、ディスクローディング装置を提供することを目的とする。
【課題を解決するための手段】
【０００６】
上記目的を達成するために、本発明では、ディスクを載置したトレイを装置本体内に移動させ、該装置本体内に設けたディスクホルダとターンテーブルとの間にディスクをクランプして、ディスクに対して記録或いは再生を行うようにしたディスクローディング装置において、前記トレイ上にディスク押し戻しバーを設け、ディスクが前記トレイのディスク載置部の後方にはみ出して載置された場合に、前記ディスク押し戻しバーにより該ディスクが前記ディスク載置部に押し戻されるようにしたことを特徴とする。
【０００７】
また、前記トレイが装置本体内に収納された状態において、小径ディスクが前記トレイの小径ディスク載置部に載置されていたとき、前記ディスク押し戻しバーが該小径ディスクの外周面に接触する位置関係となるように、該ディスク押し戻しバーが付勢されていることを特徴とする。
【０００８】
また、前記トレイの出入口の天井面より突出するボスを設け、トレイオープン時に前記ディスク押し戻しバーが前記ボスに係合し、前記トレイが装置前方に延伸するに従って、前記ディスク押し戻しバーが前記ボスにより前記トレイの大径ディスク載置部の外側後方まで押されるようにしたことを特徴とする。
【０００９】
また、前記ディスク載置部の外周部に、ディスクが前記ディスク押し戻しバーにより押し戻され過ぎないようにする傾斜面及び垂直面を設けたことを特徴とする。
【発明の効果】
【００１０】
本発明によれば、簡単な構成で、ディスクの径の大小に関わらず正確にディスクをフロントローディングすることが可能な、ディスクローディング装置を提供することができる。
【発明を実施するための最良の形態】
【００１１】
以下、本発明の実施の形態について、図面を参照しながら説明する。
【実施例１】
【００１２】
図１は、本発明の実施例１に係るディスクローディング装置の、トレイ後半部を示す斜視図である。同図に示すように、トレイ１の上面後部左右位置には、ディスク押し戻しバー２が設けられている。これは、直径１２ｃｍのディスク（大径ディスク）が載置される凹部である、大径ディスク載置部１ａの後側左右両端部において、回転軸２ａを中心に回動自在に設けられ、それぞれトレイ１の中央に向かって延びている。また、これらは大径ディスク載置部１ａの外周に沿った弓なりの形状となっており、その先端部には例えば略円柱状の押し戻し部であるボス２ｂが下方に突設している。
【００１３】
なお、大径ディスク載置部１ａの中ほどには、直径８ｃｍのディスク（小径ディスク）が載置される凹部である、小径ディスク載置部１ｂが同心円状に設けられている。ディスク押し戻しバー２は、トレイ１の前方に向かって回動するように、後述するバネにより付勢されている。そして、小径ディスクが上記小径ディスク載置部１ｂの後方にはみ出して載置された場合は、バネの力でディスク押し戻しバー２のボス２ｂにより、前方に押し戻される。詳しくは後述する。
【００１４】
図２は、本実施例に係るディスクローディング装置の、ローダーシャーシ（不図示）前方に配置される、トレイ出入口フレームを示す斜視図である。同図に示すように、トレイ出入口フレーム３の出入口３ａの天井面左右部より、例えば略円柱状のボス３ｂが下方に突出している。さて、トレイ１がディスクローディング装置に収納された状態では、上記ディスク押し戻しバー２は、小径ディスクが小径ディスク載置部１ｂに載置されていたとき、ボス２ｂが小径ディスク外周面に接触する位置関係となっている。
【００１５】
次に、トレイオープン時には、ディスク押し戻しバー２がボス３ｂに係合するので、これにより、トレイ１が装置前方に延伸するに従って、ディスク押し戻しバー２は大径ディスク載置部１ａの外側後方まで押し広げられる。この状態において、使用者はディスク押し戻しバー２に妨げられずに、ディスクをトレイ１に載置することができる。そして、トレイクローズ時には、ディスク押し戻しバー２とボス３ｂの係合が外れ、ディスク押し戻しバー２がバネの力により元の位置に戻るので、小径ディスクが小径ディスク載置部１ｂの後方にはみ出して載置されていた場合には、ディスク押し戻しバー２のボス２ｂにより、小径ディスクは前方に押し戻される。このことは、大径ディスクの場合も同様である。
【００１６】
図３は、本実施例に係るディスクローディング装置の、トレイ前部の縦断面を模式的に示す図である。同図に示すように、トレイ１の小径ディスク載置部１ｂの外周部には、すり鉢状の緩やかな傾斜面１ｂａが設けられており、これにより小径ディスクを摺動案内し、ディスク押し戻しバー２により小径ディスクが押し戻され過ぎないようにしている。さらに、傾斜面１ｂａの中ほどには、垂直面１ｂｂが設けられており、小径ディスクがこれに当接して確実に停止するようにしている。
【００１７】
一方、トレイ１の大径ディスク載置部１ａの外周部にも、すり鉢状の緩やかな傾斜面１ａａが設けられており、これにより大径ディスクを摺動案内し、ディスク押し戻しバー２により大径ディスクが押し戻され過ぎないようにしている。さらに、傾斜面１ａａの上端には、垂直面１ａｂが設けられており、大径ディスクがこれに当接して確実に停止するようにしている。
【００１８】
図４は、本実施例に係るディスクローディング装置の、トレイ後半部を下面側より見た図である。同図ではトレイ上面の外形線を透視した状態で描いてある。同図に示すように、ディスク押し戻しバー２の下面とトレイ１の下面との間には、例えば矢印Ｓで示す状態にバネが配設されており、これによりディスク押し戻しバー２が、トレイ１の前方に向かって回動するように付勢されている。使用するバネの種類としては、例えば圧縮コイルバネや細長い板バネ等が挙げられる。或いは、回転軸２ａの周りにねじりコイルバネを配置する構成としても良い。
【００１９】
このようなバネによる付勢力については、ディスク押し戻しバー２に大径ディスクが衝突しても、これが弾き飛ばされない程度となるように設計すると良い。なお、同図の１ｃは、トレイ１を前後方向に駆動するためのラック部であり、トレイ１下面に設けられているものである。その他、ディスクのクランプ時には、ディスク押し戻しバー２がディスクに接触することを避けるため、例えばトラバースメカの上昇に連動して、ディスク押し戻しバー２が大径ディスク載置部１ａの外側後方まで広がるような構成とすれば良い。
【００２０】
なお、特許請求の範囲で言うディスク載置部は、実施例における小径ディスク載置部及び大径ディスク載置部を総称するものである。
【図面の簡単な説明】
【００２１】
【図１】トレイ後半部を示す斜視図。
【図２】トレイ出入口フレームを示す斜視図。
【図３】トレイ前部の縦断面を模式的に示す図。
【図４】トレイ後半部を下面側より見た図。
【符号の説明】
【００２２】
１    トレイ
１ａ    大径ディスク載置部
１ａａ    傾斜面
１ａｂ    垂直面
１ｂ    小径ディスク載置部
１ｂａ    傾斜面
１ｂｂ    垂直面
２    ディスク押し戻しバー
２ａ    回転軸
２ｂ    ボス
３    トレイ出入口フレーム
３ａ    出入口
３ｂ    ボス
【図１】
0004844120.tif 000002
【図２】
0004844120.tif 000003
【図３】
0004844120.tif 000004
【図４】
0004844120.tif 000005